(57)【要約】【課題】  サンゴ幼生の着底率、及び、生残率が高く、サンゴを良好に定着させることができるサンゴ着底用穴を形成することによってサンゴ礁を造成する方法、及び、そのために使用するサンゴ着生基盤ブロック、コンクリートブロック、コンクリート構造物等を提供する。【解決手段】  表面に多数のサンゴ着底用穴４を有するコンクリートブロックＳを、海底、又は、海中に設置することによってサンゴ礁を造成する。着底用穴３は、開口部８が形成されている面に対して垂直な方向へ向かって陥没した凹部９を有し、この凹部９は、開口部８の上縁部８ａにおける深さ寸法が、０．５〜３ｃｍに設定されていることを特徴とする。【選択図】  図１
2005264485.tif 000002
【特許請求の範囲】
【請求項１】
表面に多数のサンゴ着底用穴を有するコンクリートブロック、又は、コンクリート構造物を、海底、又は、海中に設置することによってサンゴ礁を造成する方法であって、
前記着底用穴は、着底用穴の開口部が形成されている面に対して垂直な方向へ向かって陥没した凹部を有し、
前記開口部の上縁部における凹部の深さ寸法が、０．５〜３ｃｍに設定されていることを特徴とするサンゴ礁の造成方法。
【請求項２】
表面に多数のサンゴ着底用穴を有するコンクリートブロック、又は、コンクリート構造物を、海底、又は、海中に設置することによってサンゴ礁を造成する方法であって、
前記着底用穴は、着底用穴の開口部が形成されている面に対して垂直な方向へ向かって陥没した凹部と、当該凹部から上方に向かって抉れてなる抉部とを有していることを特徴とするサンゴ礁の造成方法。
【請求項３】
前記コンクリートブロック、又は、前記コンクリート構造物の構成面のうち、鉛直面、下向き面、及び／又は、上向きの急斜面のみに、前記着底用穴が形成されていることを特徴とする、請求項１又は請求項２に記載のサンゴ礁の造成方法。
【請求項４】
型枠の内側面に、前記着底用穴に適合する突起を有するゴム製或いはシリコン製の型枠補助材を取り付け、それらの型枠内にコンクリートを打設することによって成型したコンクリートブロック、又は、コンクリート構造物を用いることを特徴とする、請求項１〜３のいずれかに記載のサンゴ礁の造成方法。
【請求項５】
サンゴ着生基盤ブロックを取り付けてなるコンクリートブロック、又は、コンクリート構造物を、海底、又は、海中に設置することによってサンゴ礁を造成する方法であって、
前記サンゴ着生基盤ブロックは、開口部が形成されている面に対して垂直な方向へ向かって陥没した凹部を有し、前記開口部の上縁部における凹部の深さ寸法が、０．５〜３ｃｍに設定されていることを特徴とするサンゴ礁の造成方法。
【請求項６】
サンゴ着生基盤ブロックを取り付けてなるコンクリートブロック、又は、コンクリート構造物を、海底、又は、海中に設置することによってサンゴ礁を造成する方法であって、
前記サンゴ着生基盤ブロックは、開口部が形成されている面に対して垂直な方向へ向かって陥没した凹部と、この凹部から上方に向かって抉れてなる抉部とを有していることを特徴とするサンゴ礁の造成方法。
【請求項７】
表面に多数のサンゴ着底用穴が形成されてなるサンゴ着生基盤ブロックであって、
前記着底用穴は、開口部が形成されている面に対して垂直な方向へ向かって陥没した凹部を有し、
前記開口部の上縁部における凹部の深さ寸法が、０．５〜３ｃｍに設定されていることを特徴とするサンゴ着生基盤ブロック。
【請求項８】
表面に多数のサンゴ着底用穴が形成されてなるサンゴ着生基盤ブロックであって、
前記着底用穴は、開口部が形成されている面に対して垂直な方向へ向かって陥没した凹部と、この凹部から上方に向かって抉れてなる抉部とを有していることを特徴とするサンゴ着生基盤ブロック。
【請求項９】
すべての構成面が、鉛直面、下向き面、又は、上向きの急斜面のいずれかによって構成されていることを特徴とする、請求項７又は請求項８に記載のサンゴ着生基盤ブロック。
【請求項１０】
表面に多数のサンゴ着底用穴が形成されてなるコンクリートブロックであって、
前記着底用穴は、開口部が形成されている面に対して垂直な方向へ向かって陥没した凹部を有し、
前記開口部の上縁部における凹部の深さ寸法が、０．５〜３ｃｍに設定されていることを特徴とするコンクリートブロック。
【請求項１１】
表面に多数のサンゴ着底用穴が形成されてなるコンクリートブロックであって、
前記着底用穴は、開口部が形成されている面に対して垂直な方向へ向かって陥没した凹部と、この凹部から上方に向かって抉れてなる抉部とを有していることを特徴とするコンクリートブロック。
【請求項１２】
請求項１０又は請求項１１に記載のコンクリートブロックの上向きの水平面、及び／又は、上向きの緩斜面に、請求項９に記載のサンゴ着生基盤ブロックを取り付けることにより、
構成面のうち、鉛直面、下向き面、及び、上向きの急斜面の割合が、全体の表面積の８０％以上となるようにしたことを特徴とする、コンクリートブロックとサンゴ着生基盤ブロックとの複合体。
【請求項１３】
表面に多数のサンゴ着底用穴が形成されてなるコンクリート構造物であって、
前記着底用穴は、開口部が形成されている面に対して垂直な方向へ向かって陥没した凹部を有し、
前記開口部の上縁部における凹部の深さ寸法が、０．５〜３ｃｍに設定されていることを特徴とするコンクリート構造物。
【請求項１４】
表面に多数のサンゴ着底用穴が形成されてなるコンクリート構造物であって、
前記着底用穴は、開口部が形成されている面に対して垂直な方向へ向かって陥没した凹部と、この凹部から上方に向かって抉れてなる抉部とを有していることを特徴とするコンクリート構造物。
【発明の詳細な説明】
【技術分野】
【０００１】
本発明は、サンゴ幼生の着底率、及び、生残率が高く、サンゴを良好に定着させることができるサンゴ着底用穴を形成することによってサンゴ礁を造成する方法、及び、その方法に用いるサンゴ着生基盤ブロック、コンクリートブロック、及び、コンクリート製構造物等に関する。
【背景技術】
【０００２】
サンゴ礁は、生物生産機能、環境浄化機能、景観機能、防災機能等、多種多様な機能を有していることが知られているが、近年では、自然環境の変化等に起因して、天然のサンゴ礁が減少しつつある。そこで、人為的にサンゴ礁を造成しようとする試みがなされている。
【０００３】
これまでに実施されたサンゴ礁の造成方法（実験段階）としては、表面に様々な形状の凹凸を有する消波ブロック（或いは、根固めブロック）を用意し、これを海底或いは海中に設置し、造礁サンゴのプラヌラ幼生の着底を促進するという方法が知られている。
【０００４】
尚、この造成方法においては、硬化したコンクリート表面に、鑿を用いて、深さ１〜２ｍｍ、長さ数ｃｍ程度の多数の溝を彫り付けたり、ドリルを用いて、直径１ｃｍ、深さ１ｃｍ程度の穴を多数穿設したり、また、コンクリート表面に、水中ボンドを厚く盛り付けるようにして塗布し、そのまま硬化させて、硬化した水中ボンドによる三角柱状の突起（高さ１ｃｍ、幅１ｃｍ、長さ５０ｃｍ程度）を形成したり、コンクリートの角材（高さ１ｃｍ、幅１ｃｍ、長さ５０ｃｍ程度）を、水中ボンドによってコンクリート表面に貼り付ける、といった方法によってブロック表面に凹凸を形成したコンクリートブロックを使用している。
【０００５】
また、サンゴの定着を目的としたものではないが、表面に様々な凹凸形状を施したブロックとして、実開昭６３−５０９２９号に記載されているような築磯ブロックが知られており、これをサンゴ着生のために使用することも考えられる。
【０００６】
【特許文献１】実開昭６３−５０９２９号公報
【発明の開示】
【発明が解決しようとする課題】
【０００７】
しかしながら、上記のような方法によって製造した消波ブロックを、サンゴ着生用に使用する場合、次のような問題がある。コンクリートブロックを長期間にわたって海底に設置した場合、ブロックを構成する表面のうち、上向きの面には、浮泥等が堆積することになる。従って、ブロックの表面に形成されている凹凸のうち、粗度の小さいもの（例えば、鑿やドリルを用いて形成した溝や穴など）は、設置から数年後には、凹凸が堆積物で埋まってしまう可能性がある。
【０００８】
また、水中ボンドやコンクリートの角材を貼り付けることによってブロック表面に凹凸を形成しようとする場合、作業が煩雑で、製造に時間を要するという問題がある。
【０００９】
また、実開昭６３−５０９２９号公報に記載されている築磯ブロックをサンゴ着生用に使用する場合、次のような問題がある。まず、この築磯ブロックは、上向きの水平面（頂面）に凹凸が形成されているが、この部分は、前述したように浮泥等が堆積する可能性が大きく、サンゴの幼生が着底しにくく、また、着底したとしても、堆積物によって埋もれてしまうと、サンゴが死滅してしまうことになる。また、この築磯ブロックの側面には、多数の条溝が形成されているが、このように連続した溝は、幅を比較的狭く設定しても、延長方向に広くなってしまうため、食害魚等による食害に遭遇する可能性が高い。
【００１０】
尚、消波ブロックを製造する際、型枠内へ生コンクリートを打設し、その硬化前に、型枠の打設口において露出しているコンクリート表面に、様々な形状の器材（円柱状の棒、角材、パイプなど）を押し付けたり、描画的に溝を付けるようにした場合も、表面に凹凸を有する消波ブロックを得ることができ、これをサンゴの着生用として使用することも考えられる。
【００１１】
しかし、この方法による場合、打設口において露出しているコンクリート表面しか加工を行うことができず、ブロックの全面にわたって凹凸を形成することができないという問題がある。
【００１２】
また、型枠内へ生コンクリートを打設した後、本来行われるべきスページングの作業を省略した場合にも、型枠の内側面と打設コンクリートとの間に残留したエアーにより、表面に凹凸を有する消波ブロックを得ることができるが、形成される凹凸の形状や寸法、数量を操作できないという問題がある。
【００１３】
本発明は、上記のような問題を解決すべくなされたものであって、サンゴ幼生の着底率、及び、生残率が高く、サンゴを良好に定着させることができるサンゴ着底用穴を形成することによってサンゴ礁を造成する方法、及び、そのために使用するサンゴ着生基盤ブロック、コンクリートブロック、コンクリート構造物等を提供することを目的とする。
【課題を解決するための手段】
【００１４】
本発明の請求項１に記載のサンゴ礁の造成方法は、表面に多数のサンゴ着底用穴を有するコンクリートブロック、又は、コンクリート構造物を、海底、又は、海中（例えば、防波堤等の海中構造物の側面、消波工の第１層など）に設置することによってサンゴ礁を造成するというものであって、着底用穴は、着底用穴の開口部が形成されている面に対して垂直な方向へ向かって陥没した凹部を有し、開口部の上縁部における凹部の深さ寸法が、０．５〜３ｃｍに設定されていることを特徴としている。
【００１５】
本発明の請求項２に記載のサンゴ礁の造成方法は、表面に多数のサンゴ着底用穴を有するコンクリートブロック、又は、コンクリート構造物を、海底、又は、海中に設置することによってサンゴ礁を造成するというものであって、着底用穴は、着底用穴の開口部が形成されている面に対して垂直な方向へ向かって陥没した凹部と、この凹部から上方に向かって抉れてなる抉部とを有していることを特徴としている。
【００１６】
尚、これらの方法においては、コンクリートブロック、又は、コンクリート構造物の構成面のうち、鉛直面、下向き面、及び／又は、上向きの急斜面（４０°以上の傾斜面）のみに、着底用穴を形成することが好ましく、また、型枠の内側面に、着底用穴に適合する突起を有するゴム製或いはシリコン製の型枠補助材を取り付け、それらの型枠内にコンクリートを打設することによって成型したコンクリートブロック、又は、コンクリート構造物を用いることが好ましい。
【００１７】
尚、ここに言う「鉛直面」、「下向き面」、及び、「急斜面」は、平面のみならず、湾曲面をも包含する趣旨であり、湾曲面のうち、接線が鉛直となる部分は「鉛直面」、接線の傾斜角度が４０°以上となる部分は「急斜面」、接線と垂直な線が下向きとなる部分は「下向き面」とする。
【００１８】
本発明の請求項５に記載のサンゴ礁の造成方法は、サンゴ着生基盤ブロックを取り付けてなるコンクリートブロック、又は、コンクリート構造物を、海底、又は、海中に設置することによってサンゴ礁を造成するというものであって、サンゴ着生基盤ブロックが、開口部が形成されている面に対して垂直な方向へ向かって陥没した凹部を有し、前記開口部の上縁部における凹部の深さ寸法が、０．５〜３ｃｍに設定されていることを特徴としている。
【００１９】
本発明の請求項６に記載のサンゴ礁の造成方法は、サンゴ着生基盤ブロックを取り付けてなるコンクリートブロック、又は、コンクリート構造物を、海底、又は、海中に設置することによってサンゴ礁を造成するというものであって、サンゴ着生基盤ブロックが、開口部が形成されている面に対して垂直な方向へ向かって陥没した凹部と、この凹部から上方に向かって抉れてなる抉部とを有していることを特徴としている。
【００２０】
本発明の請求項７に記載のサンゴ着生基盤ブロックは、表面に多数のサンゴ着底用穴が形成されてなり、これらの着底用穴は、開口部が形成されている面に対して垂直な方向へ向かって陥没した凹部を有し、開口部の上縁部における凹部の深さ寸法が、０．５〜３ｃｍに設定されていることを特徴としている。
【００２１】
本発明の請求項８に記載のサンゴ着生基盤ブロックは、表面に多数のサンゴ着底用穴が形成されてなり、これらの着底用穴は、開口部が形成されている面に対して垂直な方向へ向かって陥没した凹部と、この凹部から上方に向かって抉れてなる抉部とを有していることを特徴としている。
【００２２】
尚、これらのサンゴ着生基盤ブロックにおいては、すべての構成面が、鉛直面、下向き面、又は、上向きの急斜面のいずれかによって構成されていることが好ましい。
【００２３】
本発明の請求項１０に記載のコンクリートブロックは、表面に多数のサンゴ着底用穴が形成されてなり、これらの着底用穴は、開口部が形成されている面に対して垂直な方向へ向かって陥没した凹部を有し、開口部の上縁部における凹部の深さ寸法が、０．５〜３ｃｍに設定されていることを特徴としている。
【００２４】
本発明の請求項１１に記載のコンクリートブロックは、表面に多数のサンゴ着底用穴が形成されてなり、これらの着底用穴は、開口部が形成されている面に対して垂直な方向へ向かって陥没した凹部と、この凹部から上方に向かって抉れてなる抉部とを有していることを特徴としている。
【００２５】
本発明の請求項１２に記載の複合体は、請求項１０又は請求項１１に記載のコンクリートブロックの上向きの水平面、及び／又は、上向きの緩斜面に、請求項９に記載のサンゴ着生基盤ブロックを取り付けることにより、構成面のうち、鉛直面、下向き面、及び、上向きの急斜面の割合が、全体の表面積の８０％以上（面積比）となるようにしたことを特徴としている。
【００２６】
本発明の請求項１３に記載のコンクリート構造物は、表面に多数のサンゴ着底用穴が形成されてなり、これらの着底用穴は、開口部が形成されている面に対して垂直な方向へ向かって陥没した凹部を有し、開口部の上縁部における凹部の深さ寸法が、０．５〜３ｃｍに設定されていることを特徴としている。
【００２７】
本発明の請求項１４に記載のコンクリート構造物は、表面に多数のサンゴ着底用穴が形成されてなり、これらの着底用穴は、開口部が形成されている面に対して垂直な方向へ向かって陥没した凹部と、この凹部から上方に向かって抉れてなる抉部とを有していることを特徴としている。
【発明の効果】
【００２８】
本発明に係るサンゴ礁の造成方法によれば、消波ブロック、根固めブロック、防波堤、離岸堤、ケーソン等、適用対象となるコンクリートブロック、又は、コンクリート構造物の本来の機能に、サンゴの着生基盤としての機能を付加することができ、これにより、造成対象となる海底又は海中においてサンゴ礁を好適に造成することができる。
【００２９】
また、本発明のサンゴ着生基盤ブロック、コンクリートブロック、又は、コンクリート構造物を用いれば、定着したサンゴを食害生物から有効に保護することができ、生残率を向上させることができる。また、このサンゴ着生基盤ブロック等は、浮泥等による悪影響を好適に回避することができ、これにより、サンゴの着底率と生残率の向上を図ることができる。
【００３０】
更に、これらのサンゴ着生基盤ブロック等に形成されている着底用穴は、光の影響を受けにくい構造となっており、プラヌラ幼生の着底を好適に促進することができる。
【発明を実施するための最良の形態】
【００３１】
以下、添付図面に沿って本発明を実施するための最良の形態について説明する。本発明の「サンゴ礁の造成方法」は、海底又は海中に設置されるコンクリートブロック（消波ブロック、根固めブロック等）や、コンクリート構造物（防波堤、離岸堤、ケーソン等）の表面に、図１、図２に示すようなサンゴ着生用穴３，４を多数形成することにより、コンクリートブロックやコンクリート構造物において、本来の機能（消波機能、根固め機能、防波機能等）のほかに、「サンゴの着生基盤」としての機能を付加する、というものであり、サンゴ幼生の着底を促進するとともに、定着したサンゴの生残率を向上させることによって、サンゴ礁を好適に造成することができる。尚、これらの着底用穴３，４は、長溝のように連続した凹凸を形成するものではなく、それぞれが独立しており、所定間隔をおいて配置される。
【００３２】
着底用穴３，４は、図示されているように、開口部８の形状が円形となっており、開口部８が形成されている面に対して垂直な方向へ向かって（開口部８の形成面がコンクリートブロックＳ、或いは、コンクリート構造物Ｓの鉛直面である場合においては、開口部８から水平方向に向かって）陥没した凹部９を有している。尚、図２の着底用穴４においては、凹部９だけではなく、この凹部９から上方に向かって抉（えぐ）れてなる抉部（けつぶ）１０（図２において斜線で示す部分）が形成されている。
【００３３】
尚、本実施形態においては、開口部８の直径Ｃは５ｃｍ、凹部９の深さＤ（開口部８から凹部９の最深部までの寸法）は２．７ｃｍに設定されている。また、図２の着底用穴４においては、抉部１０の高さＥ（開口部８の上縁から抉部１０の頂部までの寸法）は１．１ｃｍ、抉部１０の幅Ｆ（開口部８の形成面に対して垂直な方向への幅寸法の最大値）は２．２ｃｍに設定されている。但し、必ずしもこの大きさに限定される必要はなく、開口部８の直径Ｃについては、１〜５ｃｍの範囲で、凹部９の深さＤについては、０．５〜３ｃｍの範囲で、抉部１０の高さＥについては、０．５〜２．５ｃｍの範囲で、抉部１０の幅Ｆについては、０．３〜２．５ｃｍの範囲で、任意に設定することができる。
【００３４】
また、図１の着底用穴３については、凹部９の最深部の位置は特に限定されないが、少なくとも開口部８の上縁部８ａにおける深さ寸法が、０．５〜３ｃｍ程度確保されることが必要である。
【００３５】
本実施形態においては、これらの着底用穴３，４は、コンクリートブロックＳ、或いは、コンクリート構造物Ｓの構成面のうち、鉛直面、下向き面、及び、上向きの急斜面（４０°以上の傾斜面）のみに形成されている。
【００３６】
着底用穴３，４の構造及び寸法が上記の通りに設定されているため、本実施形態に係るサンゴ礁の造成方法によれば、浮泥等による悪影響を好適に回避することができ、これにより、サンゴの着底率と生残率の向上を図ることができる。より詳細に説明すると、サンゴのプラヌラ幼生の大きさは、種によって異なるが、概ね１ｍｍ以下と小さいため、浮泥が堆積しているような場所には着底しにくい。また、着底後、浮泥によってポリプが覆われてしまった場合、粘液の分泌、或いは、繊毛によって、ある程度は除去することができるが、浮泥が大量に堆積してポリプが埋没してしまうと、死滅してしまう。
【００３７】
そして、コンクリートブロックＳやコンクリート構造物Ｓを構成する面のうち、上向きの水平面や、上向きの緩斜面（４０°未満の傾斜面）には、浮泥等が堆積する可能性が高いため、着底率は低くなる。また、そのような場所に着底用穴３，４が形成されていても、堆積物によって埋没してしまう可能性がある。更に、上向きの水平面や、上向きの緩斜面は、太陽光が当たりやすいため、海藻類の着生が多く、サンゴと競合してしまう可能性がある。従って、上向きの水平面や、上向きの緩斜面に着底用穴３，４を多数形成しても、その有効性は非常に低いということになる。
【００３８】
一方、下向き面や鉛直面には、浮泥等が堆積するおそれが殆ど無く、また、上向き面であっても、急斜面（４０°以上の傾斜面）であれば、浮泥等が堆積する可能性や、海藻類と競合する可能性は小さくなる。本実施形態においては、前述したように、着底用穴３，４は、コンクリートブロックＳ等の鉛直面、下向き面、及び、上向きの急斜面のみに形成されているため、堆積物によって埋まってしまうという事態、及び、海藻類との競合を好適に回避することができ、サンゴの着底率と生残率の向上を図ることができる。
【００３９】
また、図１の着底用穴３、及び、図２の着底用穴４はいずれも、開口部８が垂直である場合に、凹部９の底面９ａ（凹部９の内周面の一部であって、開口部８の下縁部８ｂから、凹部９の奥へと連なる面）が、急斜面（４０°以上の斜面）となるように構成されている。従って、着底用穴３，４の底面９ａにおいて、浮泥等が堆積したり、或いは、海藻類が付着するといった事態を好適に回避することができる。尚、急斜面となるように構成した底面９ａと、下縁部８ｂとの間に、緩斜面（４０°未満の傾斜面）或いは水平面が介在している場合であっても、僅かな幅であれば（例えば、開口部８から奥行き方向へ０．５ｃｍ以内）、浮泥や海藻類による悪影響を回避することができる。
【００４０】
更に、本実施形態においては、着底用穴３，４は、光の影響を受けにくい構造となっており、プラヌラ幼生の着底を好適に促進することができる。より詳細に説明すると、光条件（光の強さ）がサンゴのプラヌラ幼生の着底率に及ぼし得る影響について、「光はプラヌラ幼生の着底を直接的に阻害する作用を有しており、その作用は、光が強いほど大きくなる可能性がある」ということが分かっている。また、光の影響が殆どない暗室に設置した実験水槽内においては、光を当てた水槽内よりも、高い着底率となった。
【００４１】
従って、プラヌラ幼生の着底率を向上させるためには、光の陰になる部分がなるべく多く形成されることが重要であると考えられる。そして、これを実現するには、いわゆる「オーバーハング」が多数形成されることが必要である。
【００４２】
本実施形態においては、コンクリートブロックＳ等の表面に着底用穴３，４が多数形成され、これらの着底用穴３，４はいずれも、開口部８が鉛直面、下向き面、上向きの急斜面に形成されているため、開口部８の上縁がオーバーハングとなり、そして、開口部８の内側に形成された凹部９は、そのオーバーハングの陰となるため、光の影響を小さくすることができる。更に、図２の着底用穴４において、凹部９の上方に形成されている抉部１０は、開口部８の上縁よりも高い位置に形成されているため、光の影響が極めて小さく、プラヌラ幼生の着底を好適に促進することができる。また、オーバーハングの陰となる部分は、浮泥が堆積する可能性も小さくなるので、サンゴの着底率は向上することになる。
【００４３】
また、着底用穴３，４は、藻食性の巻貝類の生息場所としての機能をも兼ね備えており、この観点からも、着底用穴３，４は、サンゴの生残率向上に寄与することになる。より具体的に説明すると、サンゴは動物であり、主にプランクトンなどを補食して生息しているが、体内にいる褐虫藻と共生関係にあり、この褐虫藻の光合成による恩恵をも受けている。従って、太陽光が全く届かないような場所は、サンゴの生息には適していない。
【００４４】
但し、明るい場所では海藻類と競合してしまうため、サンゴは、太陽光が届く範囲で、海藻類と競合しないような場所に定着することが多く、その反対に、海藻類が繁茂しているような場所では、サンゴの生残率は低くなる、と考えられている。ところで、サンゴの生息環境において、数種類の藻食性の巻貝類が生息していることがある。それらの巻貝類が生息している場合、サンゴと競合する海藻類を摂餌して除去してくれることになるため、サンゴの生残率は高くなる。
【００４５】
そして、巻貝類は、体長に応じた小さな穴を生息場所としているため、本実施形態において形成される着底用穴３，４は、それらの巻貝類の生息場所としても好適である。従って、この方法によれば、巻貝類に好適な生息場所を提供することができ、その結果、サンゴの生残率を向上させることができる。
【００４６】
また、この方法によれば、定着したサンゴを食害生物から有効に保護することができ、サンゴの生残率を向上させることができる。この点について具体的に説明する。サンゴを摂餌する魚類には、サンゴの骨格ごと切り取って飲み込んでしまうタイプ（例えば、フグ、ブダイの仲間など）や、サンゴを突っついたり、表面を囓って粘膜やポリプを食べるタイプ（例えば、チョウチョウウオ、スズメダイ、ベラの仲間など）がいる。また、魚類以外の生物では、食害生物として、オニヒトデや、シロレイシガイダマシなどが知られている。オニヒトデは口から胃袋を外に出してサンゴを覆い、消化液を出して組織を直接消化し、吸収する。シロレイシガイダマシは、サンゴの上に定位し、口で直接組織を食べる。
【００４７】
本実施形態において形成されている着底用穴３，４は、前述したように連続しておらず、所定間隔をおいてそれぞれが独立しているほか、開口部８、凹部９（及び、抉部１０）の寸法や配置条件が、食害生物の体長、口の大きさ等を考慮して、摂餌しにくいようなものに設定されているため、着底用穴３，４内に定着したサンゴは、着底用穴３，４の外に定着したサンゴと比べて食害に遭遇しにくく、定着したサンゴを有効に保護することができ、その結果、定着したサンゴの生残率を向上させることができる。
【００４８】
コンクリートブロック、或いは、コンクリート構造物の表面に、着底用穴を形成するための具体的な方法としては、コンクリートブロックを製造する際、或いは、コンクリート構造物を構築する際に、特殊な型枠補助材を使用することにより、当初より表面に着底用穴を有するコンクリートブロック、或いは、コンクリート構造物を成型する方法（型枠補助材を使用する方法）と、着底用穴を有するサンゴ着生基盤ブロックを、既成のコンクリートブロック、或いは、既設のコンクリート構造物に貼り付ける方法（サンゴ着生基盤ブロックを使用する方法）がある。
【００４９】
また、これらの方法を組み合わせて、型枠補助材を使用することによって当初より着底用穴を有するコンクリートブロック、或いは、コンクリート構造物を成型し、そのコンクリートブロック、或いは、コンクリート構造物の表面に、サンゴ着生基盤ブロックを貼り付ける、という方法を採用することもできる。
【００５０】
これらの各方法について、より詳細に説明すると、「型枠補助材を使用する方法」は、コンクリートブロックの成型に用いられる通常の型枠、或いは、コンクリート構造物を構築する際に用いられる通常の型枠を用意し、その内側面に、着底用穴に適合する突起を有するゴム製或いはシリコン製の型枠補助材を取り付け、それらの型枠内に一般的な配合のコンクリート（或いは、水中コンクリート、水中不分離コンクリート等）を打設し、所定の養生期間を経てコンクリートが硬化したら脱型する。着底用穴が複雑な形状であっても、これらを形成するための突起は、ゴム製或いはシリコン製の柔軟性のある素材によって形成されているため、容易に脱型を行うことができる。
【００５１】
尚、適用対象となるコンクリートブロックの種類は特に限定されないが、表面に形成されるすべての着底用穴を有効に機能させるためには、着底用穴の上下方向が正しい向きとなるように、また、着底用穴が形成されている面が、鉛直面、下向き面、及び、上向きの急斜面となるように、正しい姿勢でコンクリートブロックを設置する必要がある。このため、消波工において乱積みされる消波ブロック（四脚ブロック等）に適用する場合よりも、上下方向が決められているブロック（根固めブロック等）に適用した場合の方が、着底用穴をより有効に機能させることができる。
【００５２】
「サンゴ着生基盤ブロックを使用する方法」は、例えば、図３、図４に示すように、表面に多数の着底用穴７を有するサンゴ着生基盤ブロック１，１１を形成し、これをコンクリートブロックの上向き水平面や上向き緩斜面等に接着剤を用いて貼り付け、或いは、図５、図６に示すようなサンゴ着生基盤ブロック２１，３１を、コンクリート構造物の鉛直面等に接着剤を用いて貼り付ける。尚、サンゴ着生基盤ブロック１，１１，２１，３１は、前述した「型枠補助材を使用する方法」と同様の手順により、着底用穴７に適合する突起を有するゴム製或いはシリコン製の型枠補助材を用いて成型する。
【００５３】
ここで、図３〜図６に示したサンゴ着生基盤ブロック１，１１，２１，３１の構造と機能について説明する。図３のサンゴ着生基盤ブロック１は、一般的な配合のコンクリートを成型し、硬化させてなる多面体のコンクリートブロックであり、図３に示されているように、外観形状は、七つの平面（稜線２を挟んで隣接し、傾斜角度がいずれも５０°に設定された二つの矩形状斜面１３，１３、それらの下縁にそれぞれ接する二つの矩形状側面１２，１２、矩形状の底面５、及び、二つの異形側面６，６）によって構成されている。そして、それらの構成面のうち、矩形状斜面１３，１３、矩形状側面１２，１２、及び、異形側面６，６には、サンゴ着底用穴７が多数形成されている。これらの着底用穴７は、長溝のように連続した凹凸を形成するものではなく、それぞれが独立しており、所定間隔をおいて配置されている。
【００５４】
着底用穴７は、図２に示した着底用穴４と同一の構成に係るものであり、開口部８の形状は円形で、開口部８が形成されている面（矩形状側面１２等）に対して垂直な方向へ向かって（開口部８の形成面が垂直となるようにサンゴ着生基盤ブロック１を載置した場合においては、開口部８から水平方向に向かって）陥没した凹部と、この凹部９から上方に向かって抉れてなる抉部とによって構成されている。
【００５５】
着底用穴７の構造及び寸法は、図２に示した着底用穴４と同一であるので、このサンゴ着生基盤ブロック１においても、定着したサンゴを食害生物から有効に保護することができ、生残率を向上させるという効果を期待することができる。
【００５６】
また、このサンゴ着生基盤ブロック１の着底用穴７は、光の影響を受けにくい構造となっており、プラヌラ幼生の着底を好適に促進することができる。更に、着底用穴７は、藻食性の巻貝類の生息場所としての機能をも兼ね備えており、この観点からも、着底用穴７は、サンゴの生残率向上に寄与することになる。
【００５７】
また、このサンゴ着生基盤ブロック１は、浮泥等による悪影響を好適に回避することができ、これにより、サンゴの着底率と生残率の向上を図ることができる。より詳細に説明すると、前述したように、ブロックを構成する面のうち、上向きの水平面や、上向きの緩斜面（４０°未満の傾斜面）には、浮泥等が堆積する可能性が高いため、着底率は低くなる。また、そのような場所に着底用穴７が形成されていても、堆積物によって埋没してしまう可能性がある。一方、下向き面や、鉛直面には、浮泥等が堆積するおそれが殆ど無く、また、上向き面であっても、急斜面（４０°以上の傾斜面）であれば、浮泥等が堆積する可能性は小さくなる。従って、ブロック表面積のうち、下向き面、鉛直面、及び、上向きの急斜面が占める面積の割合が高いほど、有効な着底用穴７を多数形成できることになる。
【００５８】
このサンゴ着生基盤ブロック１は、前述したように、七つの平面（二つの矩形状斜面１３，１３、二つの矩形状側面１２，１２、底面５、及び、二つの異形側面６，６）によって構成されており、浮泥等が堆積しやすい上向きの水平面、及び、上向きの緩斜面を全く有しない構成となっている。従って、このサンゴ着生基盤ブロック１は、すべての構成面を、着底用穴７の設置対象として有効に利用することができ、着底用穴７が堆積物によって埋まってしまうという事態を好適に回避することができ、サンゴの着底率と生残率の向上を図ることができる。
【００５９】
尚、前述したようにこのサンゴ着生基盤ブロック１は、コンクリートを成型してなるものであるが、必ずしもコンクリート製のものには限定されず、他の材料、例えばセラミックス等によって形成することもできる。
【００６０】
図４のサンゴ着生基盤ブロック１１は、底面５が水平ではなく、所定の傾斜角度となるように構成されている。これは、サンゴ着生基盤ブロック１１が、必ずしも水平な面のみに配置される訳ではなく、設置場所が斜面等である場合を想定したものである。つまり、底面５を、その設置対象となる斜面の傾斜角度に対応した角度に設定することにより、設置後において、矩形状側面１２，１２、及び、異形側面６，６が、当初の設計通り鉛直となるような、また、上向きの矩形状斜面１３，１３がいずれも「急斜面」となるような姿勢を保持させることができる。
【００６１】
図５，６のサンゴ着生基盤ブロック２１，３１は、大きな鉛直取付面１５を有するような形状となっている。このサンゴ着生基盤ブロック２１は、設置場所が構造物等の鉛直な側面である場合を想定したものであり、鉛直取付面１５をなるべく大きくすることによって、十分な接着面積、及び、接着強度を確保することができる。
【００６２】
尚、図６のサンゴ着生基盤ブロック３１には、上方と下方にそれぞれ一つずつ、貫通孔１４，１４が形成されている。これらの貫通孔１４，１４は、サンゴ着生基盤ブロック３１を構造物等へ取り付ける前に、予めサンゴの幼生を着底させる工程を実施するような場合に、好適に活用できるものである。
【００６３】
ここで、サンゴ着生基盤ブロック３１の着底用穴７に、予めサンゴの幼生を着底させる工程について簡単に説明する。図７に示すように、海面に浮き体１８を設置し、一端を浮き体１８に接続したロープ２０（或いは、ワイヤー等）を貫通孔１４（図６参照）に通して、サンゴ着生基盤ブロック３１を海中に垂下させ、海中に浮遊しているサンゴの幼生を着底用穴７内に着底させる。尚、ロープ２０の下端は、垂下させたサンゴ着生基盤ブロック３１が設置海域から移動しないように、海底Ｇに設置したアンカー１９に接続する。尚、図３〜図５に示したサンゴ着生基盤ブロック１，１１，２１のように、貫通孔が形成されていないものの場合には、クランプやフックなどを用いて浮き体から垂下させる。
【００６４】
このような工程を実施することによって、予めサンゴ着生基盤ブロック３１（或いは、サンゴ着生基盤ブロック１，１１，２１）の着底用穴７にサンゴの幼生を着底させ、それらをコンクリート構造物やコンクリートブロックに取り付けた場合、幼生がまだ着底していないものをコンクリート構造物等へ取り付けた場合と比べ、より短期間で、より確実にサンゴ礁を造成することができる。
【００６５】
図８は、図３〜図６のサンゴ着生基盤ブロック１，１１，２１，３１の設置例の説明図である。この図においては、「型枠補助材を使用する方法」によって当初より着底用穴４を多数有するコンクリートブロック１６に、サンゴ着生基盤ブロック１，１１を貼り付けたものが、造成対象となる海底Ｇ（岩盤、砂地など）上に配置され、また、防波堤１７（コンクリート構造物）の鉛直面にサンゴ着生基盤ブロック２１，３１が貼り付けられた状態が示されている。
【００６６】
尚、図８に示されているコンクリートブロック１６は、既知の形状の根固めブロックに着底用穴４を形成してなるものであるため、その基本形状は、図３〜図６に示したサンゴ着生基盤ブロック１，１１，２１，３１のように、サンゴの着底を意図して設計されたものではない。従って、上向きの水平面や、上向きの緩斜面の占める割合が高くなっているが、前述したように、上向きの緩斜面や水平面に着底用穴を形成しても、堆積物により埋没してしまう可能性が高い。
【００６７】
従って、既知の形状を基本形状とするコンクリートブロック１６においては、着底用穴４は、構成面のうち、浮泥等が堆積しにくい急斜面、鉛直面、及び、下向き面のみに形成されている。そして、上向きの緩斜面や水平面には、底面が水平なサンゴ着生基盤ブロック１（図３参照）や、取り付けようとする斜面の傾斜角度に適合した底面角度のサンゴ着生基盤ブロック１１（図４参照）が取り付けられている。
【００６８】
このように構成した場合、既知のブロックの形状を基本としながら、上向きの緩斜面や水平面の割合（面積）を小さくすることができ、着底用穴の設置対象として有効利用できる面（即ち、急斜面、鉛直面、及び、下向き面）の割合を多くすることができる。尚、急斜面、鉛直面、及び、下向き面の割合は、コンクリートブロック１６とサンゴ着生基盤ブロック１，１１との複合体全体の表面積の８０％以上とすることが好ましい。
【００６９】
尚、コンクリートブロック１６（及び、サンゴ着生基盤ブロック１，１１）は、周辺にサンゴが天然着生している場合には、着生状況を把握し、サンゴが天然着生している水深帯に配置する。
【００７０】
太陽光が入射しない消波工内部の暗い場所は、サンゴの生息には適していないため、防波堤や離岸堤などの消波工に使用する際には、水中部の第１層（最上層）のみに使用する。また、浮泥の影響や河川水の影響が大きい場所も、サンゴの生息には適していないため、設置場所を選定する際には、この点を考慮する。また、サンゴを摂餌する魚介類が多い海域は、生残率が低くなるため、このような海域は避けて設置することが望ましい。
【００７１】
更に、防波堤や離岸堤等の海岸構造物に使用する場合は、物理的条件に対する安定計算により、使用重量や配置間隔等を決定する。また、天然岩盤や砂地上にコンクリートブロック１６を設置する場合は、物理的な安定性を考慮して設置する。
【図面の簡単な説明】
【００７２】
【図１】本発明のサンゴ礁の造成方法においてコンクリートブロックＳ等に形成される着底用穴３の断面図、及び、正面図。
【図２】本発明のサンゴ礁の造成方法においてコンクリートブロックＳ等に形成される着底用穴４の断面図、及び、正面図。
【図３】本発明のサンゴ着生基盤ブロック１の正面図、及び、（１）のＡＡ線による断面図。
【図４】本発明のサンゴ着生基盤ブロック１１の正面図、及び、（１）のＡＡ線による断面図。
【図５】本発明のサンゴ着生基盤ブロック２１の正面図、及び、（１）のＡＡ線による断面図。
【図６】本発明のサンゴ着生基盤ブロック３１の正面図、及び、（１）のＡＡ線による断面図。
【図７】図６に示したサンゴ着生基盤ブロック３１に予めサンゴの幼生を着底させる工程の説明図。
【図８】図３〜図６のサンゴ着生基盤ブロック１，１１，２１，３１の設置例を示す図。
【符号の説明】
【００７３】
１，１１，２１，３１：サンゴ着生基盤ブロック、
２：稜線、
３，４，７：着底用穴、
５：底面、
６：異形側面、
８：開口部、
８ａ：上縁部、
８ｂ：下縁部、
９：凹部、
９ａ：底面、
１０：抉部、
１２：矩形状側面、
１３：矩形状斜面、
１４：貫通孔、
１５：鉛直取付面、
１６：コンクリートブロック、
１７：防波堤、
１８：浮き体、
１９：アンカー、
２０：ロープ、
Ｓ：コンクリートブロック又はコンクリート構造物
【図１】
2005264485.tif 000003
【図２】
2005264485.tif 000004
【図３】
2005264485.tif 000005
【図４】
2005264485.tif 000006
【図５】
2005264485.tif 000007
【図６】
2005264485.tif 000008
【図７】
2005264485.tif 000009
【図８】
2005264485.tif 000010